【手続補正書】
【提出日】平成17年11月16日(2005.11.16)
【手続補正１】
【補正対象書類名】明細書
【補正対象項目名】全文
【補正方法】変更
【補正の内容】
【書類名】          明細書
【発明の名称】      ねじれゆがんだ型の開閉器が付いた額縁
【特許請求の範囲】
【請求項１】
画面の縁に溝を作り、ねじれゆがんだ型を設けた開閉器
【発明の詳細な説明】
【０００１】
この発明は額縁の画面に開閉器をつけて絵画を紫外線より守ることを特徴とするものである、製作方法の説明に入ります、まず、ねじれゆがんだ型とは何と思われますが其れは画面を覆うＮＹ型とでも思うて下さい、まずプレス機と型との説明、長方形の画面以外の大部分は円盤による構成作品です、直径が２０５ミリと２１５ミリの円盤型を使用します    用意しました型をプレス機に装填します、材料は無色透明の硬質塩化ビニール板です、厚さは１ミリと２ミリを用意しました、先に、２１５ミリの型で硬質塩化ビーニルの１ミリを５枚と２ミリを９枚を貫きました、今度は２０５ミリの円盤型の番です、断って起きますが、２１５ミリと２０５ミリの型は既成の型の応用の関係上プレス機は画面用を入れて３台使用します、画面用は（Ｃ１５トン）、他の２台は（６０トン）、貫き上りの物は２１５円盤と呼び、更に其れを貫いたのを２０５円盤と抜け殻といいます、はじめ材料を２１５で貫いた抜け殻は唯の抜け殻です、さて、貫くものは、今し方、貫いてある２１５ミリ円盤の１ミリと２ミリです、貫く枚数は１ミリ５枚と２ミリ４枚です、２０５ミリ型にかぶせる様に均等に置いて貫くのですが、ずれないように同じパターンが続くよう補助的な物、例えば材料の抜け殻と瞬間接着剤等を利用し固定出来る策を設け貫く、言わば大円盤を中円盤の型にて均等に貫く事となります、次は、画面を形成するのに用意した型を説明します、ビク型と言い、厚さ２ミリ、幅１９ミリ、内側に刃の付いた、縫製等で型抜きに使用の代物を使用します、寸法は１０５ミリ×１３５ミリで、角に丸みを持たせた長方形です、此れを貫くプレス機は後で申します、さて画面のプレス直前です、２１５円盤の２ミリ一枚と２０５円盤の１ミリ一枚と抜け殻の１ミリ１個を重ね合わせる、この時、下に２１５を上に２０５円盤を置く、最後に抜け殻を２０５円盤に嵌め込む、２１５円盤に抜け殻を嵌められた２０５円盤が乗った、ずれない様に上部にセンタクバサミを一個使うと良い、沢山使用すると遊びが無くなり材料が破損する、又貫く順番が判る記しを付ける事、画面のプレスの時が来ました、次にどの辺に定めると言う事ですが事前に用意していた型紙を乗せました、幸いに円盤を相手にしているので時計の文字盤で場所を呼びたく思いました、用意された円盤に長方形の型を乗せました（１０５×１３５）横長に上部は九時方向と二時方向で下部は五時方向と七時方向で型紙とピツタリです（時計回り）、画面用（Ｃ１５トン）のプレス機は型に伴い旧式ですので一度で貫けませんので二度プレスする、この要領で貫いて下さい、其れと他の２台（６０トン）には関係ないが画面用（１５トン）ビク型は材質の関係で室温２１度以下では材料に亀裂が始まりますから暖房機が必要です。
一面の額に必要なプレス関係の部品のリストは
１ミリ、抜け殻５、画処理済み４、未処理１、
２ミリ、〃    ４、〃        ４、〃    １、次は組み立ての一部からお話しいたします、先ず
更に組み立てる為にする事、材料から最初に貫いた、２１５円盤の唯の抜け殻（２ミリ）を１２枚に合わせた、物の枠がある、この中へ２１５円盤の裏蓋から入れる５、４、３、２、１、と、特に４３２１の画面が、ずれていないか確認し、更に２０５円盤の抜け殻を（２ミリ）１個を上に乗せて内径の所に細字のマジックペンで内径の跡を取る
丸く円を書く、抜け殻の幅は５ミリ有り、２１５ミリ円盤を２０５ミリ円盤の型で貫いたからだ、円が書けたら其処が抜け殻の最終位置となり額縁の縁となります、抜け殻の幅ギリギリの内径の位置に穴を空ける印をつける、後のストッパー兼柱と成る、  まず十一時方向と二時と五時と六時と六時十五分と九時方向、印が付いたら  、穴を空ける順序を二回に分ける、まず一回めは十一時と二時と九時方向を先に空ける、穴を空ける時必ず枠を使う、
ボール盤では穴を開ける工程に入る，鉄工ドリルセツトを使いますサイズは直径６ミリです、ボール盤にセットし一段階の三箇所の穴を空ける、次は穴の空いた所に差し込む棒の話です、無色透明アクリル丸棒、サイズは直径６ミリです、試しに穴に差し込んでスムースに入る部分を選ぶ    次に事前に用意していた３０ミリの長さの透明アクリル丸棒６ミリを２１５円盤画処理、未処理含む五枚組みの一枚目と二枚目の間に抜け殻の１ミリと２ミリを重ねた３ミリを挟み、更に二枚目と三枚目の間、三枚目と四枚目の間にも重ねた３ミリを挟み最後に四枚目と五枚目の間には抜け殻１ミリ２枚と２ミリ１枚の４ミリを挟んでの状態にして一段階で空けた側の三つの穴に差し込む、が差し込んでも止めの加工が未だなので加工方法に入る、まず片端の頭の部分に先の細い直径２ミリ程のマークカッタＨＥ−３０鏝を高温にして近づけて柔らかくなった時、頭を文鎮等で押さえると丁字が生まれる、例えば穴を空けた中に丸棒を入れて頭を少し出させると加工が楽だ、丁字の部分の仕上げには研磨が必要、又、差し込んだ先端は５ミリ程出ているので３ミリの所に今度はドリルで２，３ミリの穴を空け其処にＲピンを刺す  後回しになっていた二段階の三箇所の五時方向と六時方向（二口）の、穴を空けるこの時一段階の時の空いている穴へ丁字丸棒を差し込み安定を図る事が良い、これで後回しの件は済み  更に今度は画処理済円盤２１５の一枚目と五枚目の未処理を除いてニ、三、四、の三枚を一、二段階の要領で穴を開ける  、方向は四時と八時三十分、穴が空きましたら抜け殻を含んだ元の五枚編成に戻して置く、この二つの穴は、ＮＹ型の取り付け地点となる、取り付ける丁字棒も短くＲピンの穴も無くて、（６ミリ×１４ミリ）の長さと成る、
此れで本体の姿が現れました、画面の縁に溝を三段、此処は、ＮＹ型のスペースと成り四段目は絵画のスペースと成る、、２０５円盤画処理済み１ミリの３枚にＡ点を設け１０ミリの穴を空け余分を削り形を整えて実質的に、画面を覆うＮＹ型が誕生した次第です。取り付ける為に揃える物のリストから、イに、ＮＹ型３枚（Ａ点１０ミリ）ロに、丁字丸棒（６ミリ×１４ミリ）二本（６ミリ×３０ミリ）六本ハに、ベアリング４個Ｌ１０６０（Ｄ１０ミリ×ｄ６ミリ×Ｂ２‘５ミリ）ニに、抜け殻の１ミリと２ミリを利用した直径１７ミリの小さな円盤で中心に１０ミリの穴の空いた物を１ミリ３枚と２ミリ１枚  さて、まず設置場所を先に示して置く、其れは八時三十分の三段目です、揃えた物の一枚のＮＹ型下部Ａ点に１０ミリの穴を空けその穴と、小さな円盤の（１ミリ×１０ミリ）の穴とを完全に合体させる其の仕方は先に使った鏝で焼付け接着する、どの辺と云うと小円盤とＮＹ型の１０ミリ穴同士の接着の上下位置は上にＮＹ型、下に小円盤（上は一段目を指す）、焼付け接着の時点の鏝の突く所は小円盤側から、、八時、十二時、四時辺り、均等に三ケ所の貫通を要する、後は噴出した両面の樹脂を除き研磨の事  又、合体部分に樹脂が噴出せぬ様固定する事、出来たらベアリングを嵌めこんで、八時三十分の、三段目のスペースに移し、丁字丸棒を八時三十分の一段目の穴から入れ三段目で待っていたＮＹ型下部Ａ点のベアリング穴に入れる  、次、軸の付いたＮＹ型は左右に大体９０度の範囲で動かして見てどの辺を通るかが判る、画面上部は此処で停止又は先端部分が五時あたりかも判るから、又、対岸の四時に丁字丸棒が立っので先端が触れる様なら研磨し五時の丁字丸棒にて止まる、三段目のＮＹ型だけで画面の二分の一は覆う事となる、必要な所は残し、いらぬ所は削り研磨でのＨＹ型です。次は八時三十分の二段目です、同じパターンで進行し画面ギリギリを滑走し六時の丁字丸棒で止まる  、次は四時の一段目、同じパターンにて設置し、六時十五分の丁字丸棒で止まる、次は二段目、此処はＮＹ型のバランスを保つため小さな円盤２ミリにベアリングを嵌め設置した、此れで、ＮＹ型の三枚と小さな円盤が設置され、又、対岸の八時三十分の丁字丸棒に四時のＮＹ型の先端が触れぬ様、注意の事、此れで納まるべきところ、に納まった感じですが分解して、一から組み立てて、見ます、まず抜け殻を含んだ五枚編成の六時十五分に丁字棒（３０ミリ）を入れＲピンを刺す、次は八時三十分の三段と二段のスペースにＮＹ型（ベアリング含む）を入れ一段目より丁字棒（６ミリ×１４ミリ）を入れ、次は四時の二段目スペースにもベアリングを着けた小さな円盤を入れ、一段目スペースにはＮＹ型（ベアリング含む）を置き上から丁字棒（６ミリ×１４ミリ）を入れる。、この時点で、始めから、此処まで制作し易い順位で進めてきて組み立ては略完了となるが、  此処で計画の変更を行なう、ＮＹ型の取り付け位置の移動です、八時三十分の三段目のスペースのＮＹ型の行き先は同じ八時三十分の一段目のスペースへ、更に四時の一段目のスペースのＮＹ型は四時の三段目のスペースへ移動します、此れで懸念していた斜視からの紫外線、微量だが除く事が出来ました、    後は絵画のスペースに２０５円��未処理の１ミリ１と２０５円盤画処理１と２０５円盤未処理２ミリ１を装填して絵画挿入時の配慮とします、後は、丁字棒（３０ミリ）を先の１本を含めた６本のＲピンを入れて、組み立て完了となる、カラー材料となると紫外線を避ける目安となり丁字棒のカラーの配慮が必要となる、組み立てに関しては部品の焼付け接着のみ、での組み立て完成ですから、もし万が一、故障が生じても簡単に直せると存じます、又その一方完全に固定するか今後の課題です。使用方法、手に持って十二時方向を上にすると画面が閉じる、又、下にすると開く仕組みです、サラタテの６号に立て掛けて手で回転させたり等で引力の力にて作動します。
【０００２】
シンプルな感じより少し派手気味だが対紫外線には強力と思われる素材の、説明をします、現状の材料は硬質塩化ビニール板です、無色透明なので作品全体の内部からの加工をして紫外線カットと装飾を兼ねる考えです、其の材料はア透明両面接着テープ幅７０ミリ厚さ０，１ミリ、イ織物用ゴールドラメ幅約０，５ミリ厚さ０，１ミリ、ウ織物用プラチナラメ幅と厚さ同じ約、用意が出来ましたので加工に移ります、事前に用意していた厚さ３×２３×４６ミリの長方形の硬質塩化ビニール板に、まずゴールドラメの先端にセロハンテープで仮止めし幅２３ミリをグルグル巻き始めゴールドラメを隙間無く巻く、７０ミリ程巻けたらセロハンテープで仮止めし両面接着テープを表と裏側に１週して貼る、メスを入れてはずし、今巻いたラメの全部が一瞬に幅７０ミリ長さ４６ミリの帯状のゴールドラメ、に加工出来た訳です、出来たらメスを入れて外し、横に置く、今度はプラチナラメを同じ要領で巻く、出来たらメスを入れずそれを、横に置いてあるゴールドラメの半分残っている接着面を合わせ両面色違いの素材が誕生となる、後メスを入れ両面を見ると綺麗に隙間無く並んでいる所とざらついて一部ラメが剥がれかかる所も有る、其の所の処置は剥がれかかってるラメを手で引き抜き捨てる、ラメを手で引き抜く側が表面となり表面に出したい方を引き抜く、例えば地味なプラチナを表面に選ぶならプラチナラメを引き抜く、その意味は引き抜く事によって、テープを通して裏側の地が絣状に見えて来る、此処までは、ラメ同士の合体ですが、片面を棒金糸等で色々視野に入れて選択出来、コントラストの差を使っての狙いと云えます、出来ました素材の取り付け方を簡単に申しますまず各面はもとより縁面（抜け殻）ではＮＹ型の接触もあり配慮が必要で硬質塩化ビニール０，５ミリを加え加工には両面テープて仕上げます、因みにゴールドラメの両面に蒸着の本金の厚さは少なくとも０，０３６４ミクロンを保っているようです。
【図面の簡単な説明】
【図１】本発明の開閉時の表面からの斜視図である。
【図２】本発明の閉塞時の表面からの斜視図である。
【図３】八時三十分穴側三段目のＮＹ型の運動範囲の平面図である。
【図４】八時三十分穴側二段目のＮＹ型の運動範囲の平面図である。
【図５】四時穴側一段目のＮＹ型の運動範囲の平面図である。
【図６】三枚のＮＹ型の閉塞時の平面図である。
【図７】移動後のＮＹ型の閉塞時の平面図である。
【図８】移動後のＮＹ型の開閉時の平面図である。
【図９】八時三十分穴側のＮＹ型の断面図である。
【図１０】四時穴側のＮＹ型の断面図である。
【図１１】開閉時の裏面の平面図である。
【図１２】対紫外線の強力な素材の断面図である。
【図１３】対紫外線の強力な素材の剥離時の断面図である。
【符号の説明】
１は溝  ２は画面  ３は縁  ４は表面  ５はＮＹ型  ６は抜殻  ７は小円盤（含む１ミリ２ミリ）  ８はベアリング  ９は四時穴  １０は八時三十分穴  １１は二時穴  １２は五時穴  １３は六時穴  １４は六時十五分穴  １５は九時穴  １６は十一時穴  １７は２１５円盤  １８は丁字棒（含む３０ミリ１４ミリ）  １９はゴールドラメ  ２０は透明両面テープ  ２１はプラチナラメ  ２２は剥離部分  ２３はＲピン  ２４はＡ点  ２５は２，３ミリ穴  ２６は絵画のスペース
【手続補正２】
【補正対象書類名】図面
【補正対象項目名】全図
【補正方法】変更
【補正の内容】
【書類名】        図面
【図１】
1999290179.tif 000001
【図２】
1999290179.tif 000002
【図３】
1999290179.tif 000003
【図４】
1999290179.tif 000004
【図５】
1999290179.tif 000005
【図６】
1999290179.tif 000006
【図７】
1999290179.tif 000007
【図８】
1999290179.tif 000008
【図９】
1999290179.tif 000009
【図１０】
1999290179.tif 000010
【図１１】
1999290179.tif 000011
【図１２】
1999290179.tif 000012
【図１３】
1999290179.tif 000013